(57)【要約】【課題】立体感のある造形が可能で、名前や好きな文字をユーザーが自在に組み合わせて個性的に表現することができ、使い勝手にも優れる提げ飾りを提供する。【解決手段】本考案の提げ飾り１は、様々な形状に象られる略平坦なボディ２と、ボディ２に取り付けられるベルト３と、ベルト３に挿装される装飾パーツ４とを具備する。ベルト３は、ボディ２に形成された２箇所のベルト挿通孔２１に挿通される。該挿通孔間でボディ２の表側に重ねられたベルト３に、文字や絵記号等を象った複数個の装飾パーツ４が自由な配列で挿装される。ボディ２の裏側に引き出されたベルト３の一端と他端とは、留め具３１を介して閉環状に着脱される。【選択図】  図１
0003160236.tif 000002
【実用新案登録請求の範囲】
【請求項１】
略平坦なボディと、前記ボディに取り付けられるベルトと、前記ベルトに挿装される装飾パーツとを具備し、
前記ボディには、該ボディを表裏方向に貫通する少なくとも２箇所のベルト挿通孔が、ボディの両端部近傍に相対して形成され、
前記ベルトは、その一端に設けられた留め具に他端近傍が着脱可能となされ、このベルトが前記ボディに形成された２箇所のベルト挿通孔に挿通されて、該２箇所のベルト挿通孔の間でボディの表側に重ねられ、
前記装飾パーツにはベルトを挿通させ得る取付孔が形成されて、前記ボディの表側に重なった範囲内のベルトに前記装飾パーツが挿装されたことを特徴とする提げ飾り。
【請求項２】
請求項１に記載の提げ飾りにおいて、
ボディの裏側に延出したベルトは、その一部がボディの裏面に設けられたベルト添設部に挿通されて、ボディの裏面に添うように保持されたことを特徴とする提げ飾り。
【考案の詳細な説明】
【技術分野】
【０００１】
本考案は、カバンやスーツケース等にぶら下げるネームタグ、携帯電話用のストラップやキーリングに取り付けるアクセサリー、或いはドアや壁面に引っ掛ける案内札、といった様々な態様で利用することができる提げ飾りであって、特に、その表面に自由な文字や絵記号を表示し得るように構成された提げ飾りに関する。
【背景技術】
【０００２】
カバン、ボストンバッグ、スーツケース等の把手に括り付けてぶら下げるネームタグとして、従来、図８に示すような形状のものがよく利用されている（例えば特許文献１）。図示したネームタグ９は、正面視略矩形の名札収納部９１と、これをカバン等に括り付ける細長いベルト９２とを組み合わせて構成されている。名札収納部９１は、ビニルレザー等からなる基材シートを表裏２枚、積層し、その三辺を縫合して、一辺が開口した袋状となされている。表側の基材シートの中央部には窓穴９３が形成されて、その内側に合成樹脂製の透明シート９４が装着され、表裏の基材シートの間に名札等が挿し込まれる。名札収納部の開口箇所には、名札の抜け出しを防ぐための留め具９５が取り付けられている。ベルト９２は、名札収納部９１の一辺近傍に形成したベルト挿通孔９６に通されており、バックル部分を着脱して、カバンの把手その他、適宜の物品に括り付けられるようになっている。
【先行技術文献】
【特許文献】
【０００３】
【特許文献１】実開平６−７３７７８号公報
【考案の概要】
【考案が解決しようとする課題】
【０００４】
上記従来のようなネームタグは、名札収納部が平坦な形状をなしており、その中に挿し込まれる名札も紙や樹脂シート等からなる薄い部材となるから、全体として立体感のある造形は難しく、名前等の表示態様も単調になりがちである。
【０００５】
カバン類は本来、ユーザー個々の趣味性が特に強く反映される身の回り品であって、その関連物品にも多様な装飾性が求められるところである。そこで、本出願人は、上記従来のようなネームタグよりも立体感のある造形が可能で、名前や好きな文字をユーザーが自在に組み合わせて個性的に表現することができ、さらに使い勝手にも優れるネームタグを提供しようとした。
【０００６】
ただし、このネームタグは、カバン類にぶら下げて名前を表示するだけでなく、同様に強い趣味性が反映される携帯電話用のストラップやキーリング用のアクセサリーとして、或いはドアや壁面に引っ掛ける案内札（室名札）としても、サイズや形状を多少変えるだけで利用することができる。そこで、本考案の名称は、ネームタグ以外の用途にも利用可能な「提げ飾り」とする。
【０００７】
すなわち、本考案が解決しようとする課題は、ネームタグ、携帯電話用ストラップ、キーリング用のアクセサリー、ドアや壁面に引っ掛ける案内札等々の態様で、適宜物品にぶら下げたり引っ掛けたりして利用し得る提げ飾りにおいて、その造形性や装飾性を高め、名前その他の文字や絵記号を自由に、かつ個性的に表現し得るような構成を提供することにある。
【課題を解決するための手段】
【０００８】
上記した目的を達成するため、本考案の提げ飾りは、略平坦なボディと、前記ボディに取り付けられるベルトと、前記ベルトに挿装される装飾パーツとを具備し、前記ボディには、該ボディを表裏方向に貫通する少なくとも２箇所のベルト挿通孔が、ボディの両端部近傍に相対して形成され、前記ベルトは、その一端に設けられた留め具に他端近傍が着脱可能となされ、このベルトが前記ボディに形成された２箇所のベルト挿通孔に挿通されて、該２箇所のベルト挿通孔の間でボディの表側に重ねられ、前記装飾パーツにはベルトを挿通させ得る取付孔が形成されて、前記ボディの表側に重なった範囲内のベルトに前記装飾パーツが挿装されたことを特徴とする。
【０００９】
前記構成に係る提げ飾りにおいて、ボディの裏側に延出したベルトは、その一部がボディの裏面に設けられたベルト添設部に挿通されて、ボディの裏面に添うように保持されるのが好ましい。
【考案の効果】
【００１０】
本考案の提げ飾りは、様々な形状に象られるボディの表側にベルトの一部が重ねられて、そのボディに重ねられた範囲のベルトに様々な文字や絵記号等を象った複数個の装飾パーツが自由な配列で挿装されるように構成されている。したがって、ボディ、ベルト、装飾パーツぞれぞれの形状、色彩、質感等を生かした多彩な意匠表現が可能であり、また、それらの厚みを生かした立体感のある造形も可能で、ユーザーは、それぞれの感性に応じて個性的な装飾表現をアレンジすることができる。
【００１１】
ベルト挿通孔をボディの両端部近傍（上下両端部、左右両端部、或いは斜め方向両端部等の位置関係は特に限定しない。）に形成することにより、ボディの表側に重なるベルトの実質的な長さを最大限に確保することができるので、装飾パーツの組み合わせにおける自由度も高い。しかも、ボディからベルトの一部を抜けば、ベルトに挿装された装飾パーツの入れ替え、並べ替えも簡単であるから、気分次第で意匠表現を自在に変化させることができる。
【００１２】
さらに、ボディの裏側に延出したベルトの一部を、ボディの裏面に設けられたベルト添設部に挿通させて保持すれば、ボディとベルトとが略平坦に重なり合った状態で拘束される。これにより、提げ飾り全体の厚みが嵩張るのが避けられるとともに、ベルトを介してボディをぶら下げたとき、ボディが正面を向く姿勢で好適に保持される。
【図面の簡単な説明】
【００１３】
【図１】本考案の実施例１に係る提げ飾り（ネームタグ）の正面図である。
【図２】前記提げ飾り（ネームタグ）の背面図である。
【図３】本考案の実施例２に係る提げ飾り（ネームタグ）の正面図である。
【図４】本考案の実施例３に係る提げ飾り（ネームタグ）の正面図である。
【図５】本考案の実施例４に係る提げ飾り（携帯電話用ストラップ）の正面図である。
【図６】本考案の実施例５に係る提げ飾り（ドアプレート）の正面図である。
【図７】前記提げ飾り（ドアプレート）の背面図である。
【図８】従来公知の提げ飾り（ネームタグ）の正面図である。
【考案を実施するための形態】
【００１４】
以下、本考案の実施の形態について図を参照して説明する。
【実施例１】
【００１５】
本考案の実施例１に係る提げ飾りを、図１及び図２に示す。図示した提げ飾り１（１１）は、カバン等にぶら下げるネームタグとしてデザインされたものである。
【００１６】
ボディ２は、例えば動物のシルエット（例示形態ではネコ）、或いは適宜の幾何的形状（例えば星形、ハート形、十字架形等）に象られた平坦な部材である。このボディ２は、合成皮革又は天然皮革、或いは合成樹脂や合成繊維材等からなる、適当な強度及び柔軟性を備えたシート状材料を利用して形成されている。例示形態では、それらのシート状材料が表裏２枚重ねられて、その周縁部が縫合されている。ただし、積層するシート状材料の種類は表裏で異なっていてもよいし、１枚のシート状材料だけでボディ２が形成されていてもよい。
【００１７】
ボディ２には、これを表裏方向に貫通する２箇所のベルト挿通孔２１が形成されている。例示形態にあっては、ボディ２の上部及び下部（ネコの頭部付近と下腹部付近）に、互いに相対して平行に、ベルト３の断面よりもやや大きい横長のベルト挿通孔２１がそれぞれ形成されている。
【００１８】
ベルト３は、ボディ２と同様のシート状材料、又はそれよりも多少柔軟な素材からなる細長い部材で、その幅はボディ２の大きさに比して十分に小さくなるように形成されている。ベルト３は、その一端と他端とが適宜の留め具３１等を介して着脱できるようになっており、その着脱によってカバンの把手等にぶら下げられる。例示形態にあっては、ベルト３の一端にバックル（尾錠）タイプの留め具３１が取り付けられ、ベルト３の他端近傍には該バックルに掛着可能な複数個の子孔３２が形成されている。
【００１９】
ベルト３は、その他端側（留め具３１のない側）が、ボディ２の裏側から前記ベルト挿通孔２１に挿し込まれてボディ２の表側に引き出され、更に他方のベルト挿通孔２１に挿し込まれてボディ２の裏側に引き出されており、ボディ２の裏側でベルト３の一端と他端とが閉環をなすように結合される。つまり、ベルト３は、ボディ２に形成された２箇所のベルト挿通孔２１の間の範囲で、ボディ２の表側に重なるようにしてボディ２に取り付けられる。
【００２０】
そして、ボディ２の表側に重なった範囲のベルト３に、複数個の装飾パーツ４が挿装される。装飾パーツ４は、様々な文字や絵記号等を象った部材で、ユーザーが個々の好みに応じて好きな装飾パーツ４を選択し、ベルト３に挿装する。例示形態では、ハート形の装飾パーツと、「Ｌ」、「Ｏ」、「Ｖ」、「Ｅ」という４文字をそれぞれ抜き文字で表した矩形ブロック状の装飾パーツとが配列されている。
【００２１】
装飾パーツ４は、例えば合成樹脂、金属、ガラス、木質材等を利用し、それらにメッキや着色を施したり、あるいは人造宝石その他光沢感のある素材を組み合わせるなどして、装飾性が強調されている。装飾パーツ４は、ベルト３の幅よりもやや幅広で、ベルト３の厚みよりもやや肉厚の形状をなし、これにベルト３を挿通させ得る偏平な取付孔（図示せず）が形成されている。そして、ボディ２にベルト３を挿し込む際に、ボディ２に形成された２箇所のベルト挿通孔２１の間に装飾パーツ４を閉じ込めるようにして、ベルト３に挿装する。こうして、ユーザーは、自分の名前や好きなメッセージ等を、ボディ２の表側に表現することができる。ベルト３を再度、ボディ２から抜き取れば、装飾パーツ４の種類や配列を変更するのも自由自在である。
【００２２】
例示の提げ飾り１（１１）は、ネームタグとしての利用を想定しているため、ベルト３の長さはボディ２の大きさに比べて十分に大きい。このベルト３は、正面から見てボディ２の外方（例示形態ではネコの頭上方向）へと延出されるが、ベルト３の一部は、ボディ２の裏面に添うように、ボディ２の裏面に設けられたベルト添設部２２に保持される。例示形態では、ボディ２を構成する２枚のシート状材料のうち裏側のシート状材料において、その中央付近にベルト３を挿通させ得る２箇所のベルト潜通孔２３が平行に形成されていて、これら２箇所のベルト潜通孔２３に挟まれた部分がベルト添設部２２を構成している。そして、図２に示すように、下側のベルト挿通孔２１からボディ２の裏側へ引き出されたベルト３が、このベルト潜通孔２３に挿通されてボディ２の上方へと延出している。こうして、ボディ２とベルト３とを略平坦に重ね合わせた状態で拘束すれば、ベルト３を介してボディ２をぶら下げたときに、ボディ２が正面を向く姿勢で好適に保持されることとなる。
【００２３】
なお、例示形態では、ボディ２を構成する表裏２枚のシート状材料の中央部分が袋状に離れるようになっていて、ベルト潜通孔２３は裏側のシート状材料にのみ形成されており、したがって、ベルト潜通孔２３に挿通された部分のベルト２は、ボディ２の表側には露呈しない。しかし、ボディ２が１枚のシート状材料によって形成されている場合には、ベルト潜通孔２３がボディ２を貫通して、そこに挿通されるベルト３の一部がボディ２の表側にも表れてしまってもよい。この場合、ベルト挿通孔２１とベルト潜通孔２３とが同一直線状に配列されていれば、ベルト潜通孔２３に挿通されたベルト３の一部に、装飾パーツ４を挿装した表側のベルト３がちょうど重なることとなるので、正面の外観には影響が及ばない。
【００２４】
ベルト添設部２２の形態としては、例示形態に替えて、例えばボディ２の裏面を構成するシート状材料に、これとは別体に形成したベルト通し状、或いはベルトクリップ状の部材等を後付けするようにしてもよい。また、ボディ２のサイズが大きい場合には、ボディ２の裏側に複数箇所のベルト添設部２２を設けてもよい。
【実施例２】
【００２５】
図３には、本考案の実施例２に係る提げ飾りを示す。図示した提げ飾り１（１２）も、前記実施例１に係る提げ飾り１（１１）と同様に、カバン等にぶら下げるネームタグとしてデザインされたものである。
【００２６】
この形態に係るボディ２は、数字の「９」を象って形成されている。ベルト３は、少し右傾させたボディ２の中心よりもやや左側に、縦向きに挿通されて、上方へと延設されている。ボディ２及びベルト３の基本的構造、ボディ２の表裏両側におけるベルト３の挿通態様等は、前記実施例１と同様である。ボディ２の表側に重なった部分のベルト３には、フルーツの形象と、「Ｙ」、「Ｕ」、「Ｉ」の３文字をそれぞれ象った装飾パーツ４が挿装されている。
【実施例３】
【００２７】
図４には、本考案の実施例３に係る提げ飾りを示す。図示した提げ飾り１（１３）も、前記実施例１、２に係る提げ飾り１（１１）、１（１２）と同様に、カバン等にぶら下げるネームタグとしてデザインされたものである。
【００２８】
この形態に係るボディ２は、英文字の「Ａ」を象って形成されている。ベルト３は、少し右傾させたボディ２の中心よりもやや右側に、縦向きに挿通されて、上方へと延設されている。ボディ２及びベルト３の基本的構造、ボディ２の表裏両側におけるベルト３の挿通態様等は、前記実施例１、２と同様である。ボディ２の表側に重なった部分のベルト３には、「Ｈ」、「Ａ」、「Ｐ」、「Ｐ」、「Ｙ」の５文字をそれぞれ抜き文字で表した矩形ブロック状の装飾パーツ４が挿装されている。
【実施例４】
【００２９】
図５には、本考案の実施例４に係る提げ飾りを示す。図示した提げ飾り１（１４）は、携帯電話用ストラップとしてデザインされたものである。
【００３０】
この形態に係るボディ２は、クマのシルエットを象って形成されている。ベルト３は、クマの頭部付近と下腹部付近とを通るように、ボディ２の中心に縦向きに挿通されて、上方へと延設されている。この形態に係るボディ２及びベルト３のサイズは、前記実施例１−３よりも全体として小さめであるが、それらの基本的構造は実施例１−３と同様である。ボディ２の表側に重なった部分のベルト３には、「Ｈ」、「Ａ」、「Ｎ」、「Ａ」、「Ｋ」、「Ｏ」の６文字を象った装飾パーツ４が挿装されている。ベルト３の上方への延出長さは実施例１−３よりも短くなっており、ベルト３の留め具３１はボディ２の裏側に隠れている。ベルト３の延出端には、Ｄリング３３やカニカンフック３４その他適宜の連結金具等を介してストラップ紐３５が結合されている。
【実施例５】
【００３１】
図６及び図７には、本考案の実施例５に係る提げ飾りを示す。図示した提げ飾り１（１５）は、ドアの外面に吊り下げるドアプレート（室名札）としてデザインされたものである。
【００３２】
この提げ飾り１（１５）は、２枚のボディ２を提げ紐５で上下に繋いだ形状を有している。上下のボディ２はいずれも、やや偏平なハート形に小花をあしらった形状をなしている。提げ紐５は、上側のボディ２の左右両側部寄りに挿通されて、下側のボディ２の左右両肩部に結束されている。
【００３３】
上下の各ボディ２には、それぞれ横向きにベルト３が取り付けられている。ベルト３は、ボディ２の左右両端部近傍に形成された２箇所のベルト挿通孔２１に挿通され、ボディ２の裏側で、バックル等の留め具３１を介し閉環状に結合されている。ボディ２の表側に重なった部分のベルト３には、絵柄や文字を象った装飾パーツ４が挿装されている。この形態に係るベルト３は、正面から見てボディ２の外方には延出しないように、短めの長さに形成されている。ボディ２の裏側中央付近には、２箇所のベルト潜通孔２３によってベルト添設部２２が形成されており、ボディ２の裏側に回されたベルト３の一部がベルト添設部２２に保持されている。
【符号の説明】
【００３４】
１（１１、１２、１３、１４、１５）  提げ飾り
２  ボディ
２１  ベルト挿通孔
２２  ベルト添設部
３  ベルト
３１  留め具
４  装飾パーツ
【図１】
0003160236.tif 000003
【図２】
0003160236.tif 000004
【図３】
0003160236.tif 000005
【図４】
0003160236.tif 000006
【図５】
0003160236.tif 000007
【図６】
0003160236.tif 000008
【図７】
0003160236.tif 000009
【図８】
0003160236.tif 000010